(57)【特許請求の範囲】
【請求項１】
柱は２つのＩ形の鋼材が十字状に交差する十字形鉄骨柱を有する断面が矩形の鉄骨鉄筋コンクリート柱であり、
前記十字形鉄骨柱を構成する２つのＩ形の鋼材の各ウェブは前記矩形の４辺のうちの互いに対向する２辺に平行するようにそれぞれ配置され、
梁はＩ形鉄骨梁またはＩ形鉄骨梁を有する鉄骨鉄筋コンクリート梁で３つ設けられ、前記十字形鉄骨柱を構成する２つのＩ形の鋼材の４つのフランジのうちの３つのフランジにそれぞれ連結され、
前記十字形鉄骨柱の外側周囲で前記矩形の各角部に上下に延在する複数の柱主筋が配設された柱と梁の接合部構造において、
複数のコ字形横補強筋と複数のＵ字形横補強筋が設けられ、
前記コ字形横補強筋は、直線状に延在する中央辺部と、前記中央辺部の両端から直角に屈曲されたのち直線状に延在する一対の差し込み辺部とからコ字形に形成され、
前記Ｕ字形横補強筋は、互いに対向する一対の差し込み辺部とこれら差し込み辺部を連結する連結辺部からＵ字形に形成され、
前記複数のコ字形横補強筋は柱梁接合部において互いに上下に間隔をおき、十字形鉄骨柱を構成する一方のＩ形の鋼材のフランジで梁が連結されないフランジの外側方から、このフランジの幅方向の外側で前記矩形の２つの角部を通る各柱主筋が前記両端の差し込み辺部の内側に位置するように前記中央辺部が柱主筋に当て付けられると共に、コ字形横補強筋の差し込み辺部の先部が、十字形鉄骨柱を構成する他方のＩ形の鋼材の両フランジに連結されたＩ形鉄骨梁のウェブの挿通孔に挿通されて配設され、
前記差し込み辺部の先端は、前記鉄骨鉄筋コンクリート柱の断面中心を通る中心線で前記中央辺部と平行する中心線を横切ってこの中心線よりも突出しており、
前記複数のＵ字形横補強筋は柱梁接合部において互いに上下に間隔をおき、前記コ字形横補強筋が掛けられなかった前記矩形の残りの２つの角部を通る各柱主筋が前記一対の差し込み辺部の間に位置し、一対の差し込み辺部の先部が鉄骨鉄筋コンクリート柱の中心寄りに位置するように前記連結辺部が柱主筋に当て付けられて配設され、
これらコ字形横補強筋とＵ字形横補強筋は十字形鉄骨柱および柱主筋と共にコンクリートに埋設され、
前記差し込み辺部の先端の前記ウェブからの突出長さは、前記コ字形横補強筋を構成する構造用鉄筋の直径をＤとした場合、１５×Ｄ以上である、
ことを特徴とする柱と梁の接合部構造。
【請求項２】
柱はＩ形の鋼材からなるＩ形鉄骨柱を有する断面が矩形の鉄骨鉄筋コンクリート柱であり、
前記Ｉ形の鋼材のウェブは前記矩形の４辺のうちの互いに対向する２辺に平行するように配置され、
梁はＩ形鉄骨梁またはＩ形鉄骨梁を有する鉄骨鉄筋コンクリート梁で２つ設けられ、前記Ｉ形鉄骨柱を構成するＩ形の鋼材の２つのフランジにそれぞれ連結され、
前記Ｉ形鉄骨柱の外側周囲で前記矩形の各角部に上下に延在する複数の柱主筋が配設された柱と梁の接合部構造において、
複数のコ字形横補強筋と複数のＵ字形横補強筋が設けられ、
前記コ字形横補強筋は、直線状に延在する中央辺部と、前記中央辺部の両端から直角に屈曲されたのち直線状に延在する一対の差し込み辺部とからコ字形に形成され、
前記Ｕ字形横補強筋は、互いに対向する一対の差し込み辺部とこれら差し込み辺部を連結する連結辺部からＵ字形に形成され、
前記複数のコ字形横補強筋は柱梁接合部において互いに上下に間隔をおき、Ｉ形の鋼材のウェブに平行する矩形の一辺の外側方から、この一辺に沿って配置された複数の柱主筋が前記両端の差し込み辺部の内側に位置するように前記中央辺部が柱主筋に当て付けられると共に、コ字形横補強筋の差し込み辺部の先部がＩ形鉄骨梁のウェブの挿通孔に挿通されて配設され、
前記差し込み辺部の先端は、前記鉄骨鉄筋コンクリート柱の断面中心を通る中心線で前記中央辺部と平行する中心線を横切ってこの中心線よりも突出しており、
前記複数のＵ字形横補強筋は柱梁接合部において互いに上下に間隔をおき、前記矩形の一辺に対向する一辺の両側の各角部を通る柱主筋が前記一対の差し込み辺部の間に位置し、一対の差し込み辺部の先部が鉄骨鉄筋コンクリート柱の中心寄りを通るように前記連結辺部が柱主筋に当て付けられて配設され、
これらコ字形横補強筋とＵ字形横補強筋はＩ形鉄骨柱および柱主筋と共にコンクリートに埋設され、
前記差し込み辺部の先端の前記ウェブからの突出長さは、前記コ字形横補強筋を構成する構造用鉄筋の直径をＤとした場合、１５×Ｄ以上である、
ことを特徴とする柱と梁の接合部構造。
【請求項３】
柱はＩ形の鋼材のウェブに、Ｔ形の鋼材のウェブの先端が連結されたＴ字形鉄骨柱を有する断面が矩形の鉄骨鉄筋コンクリート柱であり、
前記Ｉ形の鋼材の両端のフランジとＴ形の鋼材のフランジは前記矩形の辺に平行するように配置され、
梁はＩ形鉄骨梁またはＩ形鉄骨梁を有する鉄骨鉄筋コンクリート梁で３つ設けられ、前記Ｉ形の鋼材の両端のフランジとＴ形の鋼材のフランジにそれぞれ連結され、
前記Ｔ字形鉄骨柱の外側周囲で前記矩形の各角部に上下に延在する複数の柱主筋が配設された柱と梁の接合部構造において、
複数のコ字形横補強筋と複数のＵ字形横補強筋が設けられ、
前記コ字形横補強筋は、直線状に延在する中央辺部と、前記中央辺部の両端から直角に屈曲されたのち直線状に延在する一対の差し込み辺部とからコ字形に形成され、
前記Ｕ字形横補強筋は、互いに対向する一対の差し込み辺部とこれら差し込み辺部を連結する連結辺部からＵ字形に形成され、
前記複数のコ字形横補強筋は柱梁接合部において互いに上下に間隔をおき、Ｉ形の鋼材のウェブに平行する矩形の一辺の外側方から、この一辺に沿って配置された複数の柱主筋が前記両端の差し込み辺部の内側に位置するように前記中央辺部が柱主筋に当て付けられると共に、コ字形横補強筋の差し込み辺部の先部が、Ｉ形の鋼材のフランジに連結されたＩ形鉄骨梁のウェブの挿通孔に挿通されて配設され、
前記差し込み辺部の先端は、前記鉄骨鉄筋コンクリート柱の断面中心を通る中心線で前記中央辺部と平行する中心線を横切ってこの中心線よりも突出しており、
前記複数のＵ字形横補強筋は柱梁接合部において互いに上下に間隔をおき、Ｔ形の鋼材のフランジの両側の矩形の各角部を通る柱主筋が前記一対の差し込み辺部の間に位置し、一対の差し込み辺部の先部が鉄骨鉄筋コンクリート柱の中心寄りに位置するように前記連結辺部が柱主筋に当て付けられて配設され、
これらコ字形横補強筋とＵ字形横補強筋はＴ字形鉄骨柱および柱主筋と共にコンクリートに埋設され、
前記差し込み辺部の先端の前記ウェブからの突出長さは、前記コ字形横補強筋を構成する構造用鉄筋の直径をＤとした場合、１５×Ｄ以上である、
ことを特徴とする柱と梁の接合部構造。
【請求項４】
前記複数のコ字形横補強筋は互いに上下に間隔をおいて連結されたコ字形横補強筋ユニットに構成されていることを特徴とする請求項１乃至３に何れか１項記載の柱と梁の接合部構造。
【請求項５】
前記Ｕ字形横補強筋は互いに上下に間隔をおいて連結されたＵ字形横補強筋ユニットに構成されていることを特徴とする請求項１乃至４に何れか１項記載の柱と梁の接合部構造。
【発明の詳細な説明】
【０００１】
【発明の属する技術分野】
本発明は鉄骨鉄筋コンクリート構造および鉄骨鉄筋コンクリート柱・鉄骨梁構造における柱と梁の接合部の横補強構法に関する。
【０００２】
【従来の技術】
従来の鉄骨鉄筋コンクリート構造（鉄骨鉄筋コンクリート柱・鉄骨鉄筋コンクリート梁構造）および鉄骨鉄筋コンクリート柱・鉄骨梁構造では、柱梁接合部の耐力、耐震性能を高め、また、柱主筋の座屈防止を図るため、次のような作業がなされている。
図１５を参照して説明すると、鉄骨鉄筋コンクリート柱１２において、十字形鉄骨柱１４の外側で矩形の角部に位置するように柱主筋１６が配筋され、柱梁接合部を除いた十字形鉄骨柱１４および柱主筋１６の周囲にフープ筋５０が配筋され、柱梁接合部において十字形鉄骨柱１４にＩ形鋼からなる梁１８が４つ連結されている。そして複数のＬ字形横補強筋、または複数のコ字形横補強鉄筋５２が柱主筋１６の外側を囲むように十字形鉄骨柱１４に向けて配筋され、それらの先部を梁１８のウェブの貫通孔に通し、それら鉄筋５２の端部を重ねて溶接し、閉鎖型横補強筋を形成するようにしている。
【０００３】
【発明が解決しようとする課題】
そのため、従来の柱と梁の接合部の横補強構法では、複数のＬ字形横補強筋、または複数のコ字形横補強鉄筋を鉄骨梁のウェブの貫通孔に通し、それら鉄筋の端部を重ねて溶接しなければならないため、作業が煩雑となり、また、手間の掛かる現場溶接を必要とすることから、現場作業の簡易化、省力化が望まれていた。
本発明は前記事情に鑑み案出されたものであって、本発明の目的は、柱梁接合部の耐力、耐震性能を確保しつつ、また、柱主筋の座屈防止を図りつつ、現場での作業の簡易化、省力化が図れる鉄骨鉄筋コンクリート構造および鉄骨鉄筋コンクリート柱・鉄骨梁構造における柱と梁の接合部の横補強構法を提供することにある。
【０００４】
【課題を解決するための手段】
本発明は、柱は２つのＩ形の鋼材が十字状に交差する十字形鉄骨柱を有する断面が矩形の鉄骨鉄筋コンクリート柱であり、前記十字形鉄骨柱を構成する２つのＩ形の鋼材の各ウェブは前記矩形の４辺のうちの互いに対向する２辺に平行するようにそれぞれ配置され、梁はＩ形鉄骨梁またはＩ形鉄骨梁を有する鉄骨鉄筋コンクリート梁で３つ設けられ、前記十字形鉄骨柱を構成する２つのＩ形の鋼材の４つのフランジのうちの３つのフランジにそれぞれ連結され、前記十字形鉄骨柱の外側周囲で前記矩形の各角部に上下に延在する複数の柱主筋が配設された柱と梁の接合部構造において、複数のコ字形横補強筋と複数のＵ字形横補強筋が設けられ、前記コ字形横補強筋は、直線状に延在する中央辺部と、前記中央辺部の両端から直角に屈曲されたのち直線状に延在する一対の差し込み辺部とからコ字形に形成され、前記Ｕ字形横補強筋は、互いに対向する一対の差し込み辺部とこれら差し込み辺部を連結する連結辺部からＵ字形に形成され、前記複数のコ字形横補強筋は柱梁接合部において互いに上下に間隔をおき、十字形鉄骨柱を構成する一方のＩ形の鋼材のフランジで梁が連結されないフランジの外側方から、このフランジの幅方向の外側で前記矩形の２つの角部を通る各柱主筋が前記両端の差し込み辺部の内側に位置するように前記中央辺部が柱主筋に当て付けられると共に、コ字形横補強筋の差し込み辺部の先部が、十字形鉄骨柱を構成する他方のＩ形の鋼材の両フランジに連結されたＩ形鉄骨梁のウェブの挿通孔に挿通されて配設され、前記差し込み辺部の先端は、前記鉄骨鉄筋コンクリート柱の断面中心を通る中心線で前記中央辺部と平行する中心線を横切ってこの中心線よりも突出しており、前記複数のＵ字形横補強筋は柱梁接合部において互いに上下に間隔をおき、前記コ字形横補強筋が掛けられなかった前記矩形の残りの２つの角部を通る各柱主筋が前記一対の差し込み辺部の間に位置し、一対の差し込み辺部の先部が鉄骨鉄筋コンクリート柱の中心寄りに位置するように前記連結辺部が柱主筋に当て付けられて配設され、これらコ字形横補強筋とＵ字形横補強筋は十字形鉄骨柱および柱主筋と共にコンクリートに埋設され、前記差し込み辺部の先端の前記ウェブからの突出長さは、前記コ字形横補強筋を構成する構造用鉄筋の直径をＤとした場合、１５×Ｄ以上であることを特徴とする。
また本発明は、柱はＩ形の鋼材からなるＩ形鉄骨柱を有する断面が矩形の鉄骨鉄筋コンクリート柱であり、前記Ｉ形の鋼材のウェブは前記矩形の４辺のうちの互いに対向する２辺に平行するように配置され、梁はＩ形鉄骨梁またはＩ形鉄骨梁を有する鉄骨鉄筋コンクリート梁で２つ設けられ、前記Ｉ形鉄骨柱を構成するＩ形の鋼材の２つのフランジにそれぞれ連結され、前記Ｉ形鉄骨柱の外側周囲で前記矩形の各角部に上下に延在する複数の柱主筋が配設された柱と梁の接合部構造において、複数のコ字形横補強筋と複数のＵ字形横補強筋が設けられ、前記コ字形横補強筋は、直線状に延在する中央辺部と、前記中央辺部の両端から直角に屈曲されたのち直線状に延在する一対の差し込み辺部とからコ字形に形成され、前記Ｕ字形横補強筋は、互いに対向する一対の差し込み辺部とこれら差し込み辺部を連結する連結辺部からＵ字形に形成され、前記複数のコ字形横補強筋は柱梁接合部において互いに上下に間隔をおき、Ｉ形の鋼材のウェブに平行する矩形の一辺の外側方から、この一辺に沿って配置された複数の柱主筋が前記両端の差し込み辺部の内側に位置するように前記中央辺部が柱主筋に当て付けられると共に、コ字形横補強筋の差し込み辺部の先部がＩ形鉄骨梁のウェブの挿通孔に挿通されて配設され、前記差し込み辺部の先端は、前記鉄骨鉄筋コンクリート柱の断面中心を通る中心線で前記中央辺部と平行する中心線を横切ってこの中心線よりも突出しており、前記複数のＵ字形横補強筋は柱梁接合部において互いに上下に間隔をおき、前記矩形の一辺に対向する一辺の両側の各角部を通る柱主筋が前記一対の差し込み辺部の間に位置し、一対の差し込み辺部の先部が鉄骨鉄筋コンクリート柱の中心寄りを通るように前記連結辺部が柱主筋に当て付けられて配設され、これらコ字形横補強筋とＵ字形横補強筋はＩ形鉄骨柱および柱主筋と共にコンクリートに埋設され、前記差し込み辺部の先端の前記ウェブからの突出長さは、前記コ字形横補強筋を構成する構造用鉄筋の直径をＤとした場合、１５×Ｄ以上であることを特徴とする。
【０００５】
また本発明は、柱はＩ形の鋼材のウェブに、Ｔ形の鋼材のウェブの先端が連結されたＴ字形鉄骨柱を有する断面が矩形の鉄骨鉄筋コンクリート柱であり、前記Ｉ形の鋼材の両端のフランジとＴ形の鋼材のフランジは前記矩形の辺に平行するように配置され、梁はＩ形鉄骨梁またはＩ形鉄骨梁を有する鉄骨鉄筋コンクリート梁で３つ設けられ、前記Ｉ形の鋼材の両端のフランジとＴ形の鋼材のフランジにそれぞれ連結され、前記Ｔ字形鉄骨柱の外側周囲で前記矩形の各角部に上下に延在する複数の柱主筋が配設された柱と梁の接合部構造において、複数のコ字形横補強筋と複数のＵ字形横補強筋が設けられ、前記コ字形横補強筋は、直線状に延在する中央辺部と、前記中央辺部の両端から直角に屈曲されたのち直線状に延在する一対の差し込み辺部とからコ字形に形成され、前記Ｕ字形横補強筋は、互いに対向する一対の差し込み辺部とこれら差し込み辺部を連結する連結辺部からＵ字形に形成され、前記複数のコ字形横補強筋は柱梁接合部において互いに上下に間隔をおき、Ｉ形の鋼材のウェブに平行する矩形の一辺の外側方から、この一辺に沿って配置された複数の柱主筋が前記両端の差し込み辺部の内側に位置するように前記中央辺部が柱主筋に当て付けられると共に、コ字形横補強筋の差し込み辺部の先部が、Ｉ形の鋼材のフランジに連結されたＩ形鉄骨梁のウェブの挿通孔に挿通されて配設され、前記差し込み辺部の先端は、前記鉄骨鉄筋コンクリート柱の断面中心を通る中心線で前記中央辺部と平行する中心線を横切ってこの中心線よりも突出しており、前記複数のＵ字形横補強筋は柱梁接合部において互いに上下に間隔をおき、Ｔ形の鋼材のフランジの両側の矩形の各角部を通る柱主筋が前記一対の差し込み辺部の間に位置し、一対の差し込み辺部の先部が鉄骨鉄筋コンクリート柱の中心寄りに位置するように前記連結辺部が柱主筋に当て付けられて配設され、これらコ字形横補強筋とＵ字形横補強筋はＴ字形鉄骨柱および柱主筋と共にコンクリートに埋設され、前記差し込み辺部の先端の前記ウェブからの突出長さは、前記コ字形横補強筋を構成する構造用鉄筋の直径をＤとした場合、１５×Ｄ以上であることを特徴とする。
これらのコ字形横補強筋やそのユニット、Ｕ字形横補強筋やそのユニットは、溶接などの作業を要せずに、柱主筋がその内側に入るように配筋され、鉄骨柱、柱主筋と共にコンクリート中に埋設され、柱梁接合部の耐力、耐震性能を確保しつつ、また、柱主筋の座屈防止を図りつつ、現場での作業の簡易化、省力化が図られる。
【０００６】
【発明の実施の形態】
以下、本発明の実施の形態を添付図面にしたがって説明する。
まず、第１の実施の形態（特許請求の範囲の第１項記載の発明に相当）から説明すると、図１（Ａ）は柱と梁の接合部の断面平面図、（Ｂ）はコ字形横補強筋ユニットの斜視図、（Ｃ）はＵ字形横補強筋ユニットの斜視図を示す。
図１（Ａ）に示すように、鉄骨鉄筋コンクリート構造や鉄骨鉄筋コンクリート柱・鉄骨梁構造では、まず、鉄骨柱１４が立設され、また、鉄骨梁１８が鉄骨柱１４に組み立てられ、鉄筋が配筋された後、コンクリートＣが打設されて鉄骨鉄筋コンクリート柱１２が構築される。
鉄骨鉄筋コンクリート柱１２は、鉄骨柱１４、柱主筋１６、コンクリートＣなどから平面視矩形に形成され、鉄骨鉄筋コンクリート柱１２の柱梁接合部には１つのコ字形横補強筋ユニット２２と２つのＵ字形横補強筋ユニット２４が用いられ、鉄骨柱１４の柱梁接合部には予め梁と連結するための連結用部材が一体に取着されている場合もあり、鉄骨柱１４に鉄骨梁１８を直接取着する場合もある。
【０００７】
鉄骨柱１４は、平面視した場合、２つのＩ（またはＨ）形の鋼材が十字状に交差して形成された十字形鉄骨柱であり、直角に十字状に交差する２つのウェブ１４０２と、各ウェブ１４０２の両端に設けられたフランジ１４０４を備えており、各ウェブ１４０２が矩形の各辺に平行して延在するように配設されている。なお、この実施の形態では、双方のフェブ１４０２の交差箇所１４０２Ａが、一方のウェブ１４０２の幅方向中央で他方のウェブ１４０２のフランジ１４０４寄り箇所に偏心している。
鉄骨梁１８は、鉄骨柱１４の三つのフランジ１４０４箇所からそれぞれ水平方向外方に突出しており、鉄骨梁１８はＩ（またはＨ）形鋼からなるＩ形鉄骨梁で、鉄骨梁１８はウェブ１８０２を垂直に上下のフランジ１８０４を水平にして配置されている。そして、互いに同一直線上に位置しコンクリートＣの内側に位置する２つの鉄骨梁１８のコンクリートＣの内側に位置するウェブ１８０２箇所には上下に等間隔をおいて多数の挿通孔１８０６が貫設されている。
【０００８】
複数の鉄骨柱１４が立設され、各鉄骨柱１４の柱梁接合部に鉄骨梁１８が連結されたならば、各鉄骨柱１４の周囲を囲むように断面矩形枠状に複数の柱主筋１６が鉛直に配筋され、また、柱梁接合部を除いた各鉄骨柱１４部分で複数の柱主筋１６の周囲を囲むように矩形枠状のフープ筋５０（図１５参照）が上下に間隔をおいて多数配筋され、同時に柱梁接合部においては、コ字形横補強筋ユニット２２とＵ字形横補強筋ユニット２４が鉄骨鉄筋コンクリート柱１２の中心に向けて水平に差し込まれる。
【０００９】
前記コ字形横補強筋ユニット２２は、図１（Ｂ）に示すように、複数のコ字形横補強筋２２０２とこれら複数のコ字形横補強筋２２０２を連結する連結筋２２０４を備えている。
前記コ字形横補強筋２２０２は、直線状に延在する中央辺部２２０２Ａと、中央辺部２２０２Ａの両端からそれぞれ直角に屈曲されたのち直線状に延在する差し込み辺部２２０２Ｂから構成されている。
複数のコ字形横補強筋２２０２は、互いに平行させ上下に等間隔をおいて並べた状態で中央辺部２２０２Ａの長手方向中央を通る連結筋２２０４により連結され一体化され、これによりコ字形横補強筋ユニット２２が構成されている。
【００１０】
コ字形横補強筋ユニット２２は柱梁接合部において、両側の差し込み辺部２２０２Ｂの内側に柱主筋１６が位置するように、交差箇所１４０２Ａが偏位した側のフランジ１４０４の外側方から中央辺部２２０２Ａを柱主筋１６に当て付け、両側の差し込み辺部２２０２Ｂを梁１８のウェブ１８０２の挿通孔１８０６に挿通させ、差し込み辺部２２０２Ｂの先部をウェブ１８０２の反対側に突出させる。そして、例えば、中央辺部２２０２Ａの両端が結束線などを用いて柱主筋１６に取着され、これによりコ字形横補強筋ユニット２２が柱梁接合部に取り付けられる。
この場合、柱梁接合部の耐力、耐震性能を高めるため、差し込み辺部２２０２Ｂの先端のウェブ１８０２からの突出長さは、コ字形横補強筋２２０２を構成する構造用鉄筋の直径をＤとした場合、１５×Ｄ以上が好ましい。また、柱梁接合部の耐力、耐震性能を高めるため、差し込み辺部２２０２Ｂの先端は、鉄骨鉄筋コンクリート柱１２の断面中心を通る中心線で中央辺部２２０２Ａと平行する中心線１２０２を横切ってこの中心線１２０２よりも、５×Ｄ以上突出していることが好ましい。
【００１１】
前記Ｕ字形横補強筋ユニット２４は、図１（Ｃ）に示すように、複数のＵ字形横補強筋２４０２とこれら複数のＵ字形横補強筋２４０２を連結する２つの連結筋２４０４を備えている。
前記Ｕ字形横補強筋２４０２は、Ｕ字型に屈曲形成された連結辺部２４０２Ａと、この連結辺部２４０２Ａにそれぞれ連結され互いに間隔をおいて平行して直線状に延在する２つの差し込み辺部２４０２Ｂから構成されいる。
複数のＵ字形横補強筋２４０２は、互いに平行させつつ上下に等間隔をおいて並べた状態で各差し込み辺部２４０２Ｂの先端を通る連結筋２４０４により連結され一体化され、これによりＵ字型補差し筋ユニット２４が構成されている。
【００１２】
Ｕ字形横補強筋ユニット２４は柱梁接合部において、コ字形横補強筋ユニット２２が掛からなかった鉄骨鉄筋コンクリート柱１２の２つの角部から（言い換えると、フェブ１４０２の交差箇所１４０２Ａから離れた矩形の二つの角部から）それぞれその中心に向かうように水平に差し込まれ、これにより鉄骨鉄筋コンクリート柱１２の角部に、三角形の頂点に位置するように配設された３つの柱主筋１６が２つの差し込み辺部２４０２Ｂの間に挿入され連結辺部２４０２Ａに当接される。そして、例えば、連結辺部２４０２Ａが結束線などを用いて柱主筋１６に取着され、これによりＵ字形横補強筋ユニット２４が柱梁接合部に取り付けられる。
この場合、柱梁接合部の耐力、耐震性能を高めるため、連結辺部２４０２Ａが柱主筋１６に当接するまでＵ字形横補強筋ユニット２４が差し込まれた状態で、２つの差し込み辺部２４０２Ｂの先端は、鉄骨鉄筋コンクリート柱１２の中心寄り箇所に位置するように構成されている。
【００１３】
鉄骨柱１４の柱梁接合部に鉄骨梁１８が連結され、コ字形横補強筋ユニット２２とＵ字形横補強筋ユニット２４が配筋されたならば、コンクリートＣが打設され、これらコ字形横補強筋ユニット２２やＵ字形横補強筋ユニット２４は鉄骨柱１４と共にコンクリートＣ中に埋設され、鉄骨鉄筋コンクリート柱１２が構築される。
本実施の形態によれば、コ字形横補強筋ユニット２２とＵ字形横補強筋ユニット２４により、柱梁接合部の耐力、耐震性能が高められ、また、その配筋も１つのコ字形横補強筋ユニット２２と２つのＵ字形横補強筋ユニット２４を鉄骨柱１４に向けて差し込むといった簡単な作業により簡単になされ、柱梁接合部の耐力、耐震性能を確保しつつ、また、柱主筋の座屈防止を図りつつ、現場での作業の簡易化、省力化を図ることが可能となる。
【００１４】
次に、図２を参照して本発明の第２の実施の形態（特許請求の範囲の第１項記載の発明に相当）について説明する。なお、以下に述べる実施の形態では、第１の実施の形態と同様な箇所、部材に同一の符号を付して説明する。
図２は柱と梁の接合部の断面平面図を示す。
第２の実施の形態では、鉄骨鉄筋コンクリート柱１２の柱梁接合部に、１つのコ字形横補強筋ユニット２２と２つのＵ字形横補強筋ユニット２４を用いている点において第１の実施の形態と同様であるが、２つのＵ字形横補強筋ユニット２４のうち１つのＵ字形横補強筋ユニット２４Ａの形状が第１の実施の形態と異なっている。
すなわち、Ｕ字形横補強筋ユニット２４Ａは、複数のＵ字形横補強筋２４０６とこれら複数のＵ字形横補強筋２４０６を連結する２つの連結筋２４０４（図１（Ｃ）参照）で構成され、Ｕ字形横補強筋２４０６は、直線状に延在する連結辺部２４０６Ａと、この連結辺部２４０６Ａにそれぞれ連結され互いに間隔をおいて平行して直線状に延在する２つの差し込み辺部２４０６Ｂから構成されいる。
複数のＵ字形横補強筋２４０６は、互いに平行させつつ上下に等間隔をおいて並べた状態で各差し込み辺部２４０６Ｂの先端を通る連結筋２４０４により連結され一体化され、これによりＵ字型補差し筋ユニット２４Ａが構成されている。
【００１５】
Ｕ字形横補強筋ユニット２４Ａは柱梁接合部において、コ字形横補強筋ユニット２２が掛からなかった鉄骨鉄筋コンクリート柱１２の角部から（言い換えると、フェブ１４０２の交差箇所１４０２Ａから離れた矩形の角部から）その中心に向かうように差し込まれる。これにより鉄骨鉄筋コンクリート柱１２の角部に位置する柱主筋１６とこの柱主筋１６に間隔をおいて矩形の一辺に沿って配筋された２つの柱主筋１６が２つの差し込み辺部２４０６Ｂの間に挿入され連結辺部２４０６Ａに当接される。そして、例えば、連結辺部２４０６Ａが結束線などを用いて柱主筋１６に取着され、これによりＵ字型補強筋ユニット２４が柱梁接合部に取り付けられる。
この場合、柱梁接合部の耐力、耐震性能を高めるため、連結辺部２４０６Ａが柱主筋１６に当接するまでＵ字形横補強筋ユニット２４Ａが差し込まれた状態で、２つの差し込み辺部２４０６Ｂの先端は、鉄骨鉄筋コンクリート柱１２の中心寄り箇所に位置するように構成されている。
このような第２の実施の形態によっても、第１の実施の形態と同様に、柱梁接合部の耐力、耐震性能を確保しつつ、また、柱主筋の座屈防止を図りつつ、現場での作業の簡易化、省力化を図ることが可能となる。
【００１６】
次に、図３を参照して第１の参考例について説明する。
図３（Ａ）は柱と梁の接合部の断面平面図、（Ｂ）はＬ字形横補強筋ユニットの斜視図を示す。
第１の参考例では、図３（Ａ）に示すように、鉄骨柱１４において、ウェブ１４０２の交差箇所１４０２Ａ寄りに位置する２つのフランジ１４０４に鉄骨梁１８が連結されておらず、交差箇所１４０２Ａから離れた側の２つのフランジ１４０４に鉄骨梁１８が連結されている。そして、第１の実施の形態では、鉄骨鉄筋コンクリート柱１２の柱梁接合部に、１つのコ字形横補強筋ユニット２２と２つのＵ字形横補強筋ユニット２４を用いたのに対し、第１の参考例では、２つのＬ字形横補強筋ユニット２６と１つのＵ字形横補強筋ユニット２４を用いている。
すなわち、Ｌ字形横補強筋ユニット２６は、図３（Ｂ）に示すように、複数のＬ字形横補強筋２６０２とこれら複数のＬ字形横補強筋２６０２を連結する１つの連結筋２６０４で構成されている。
前記Ｌ字形横補強筋２６０２は、直線状に延在する中央辺部２６０２Ａと、中央辺部２６０２Ａの一端から直角に屈曲されたのち直線状に延在する差し込み辺部２６０２Ｂと、中央辺部２６０２Ａの他端にＶ字をなすように屈曲形成された係止辺部２６０２Ｃを備えている。
複数のＬ字形横補強筋２６０２は、互いに平行させ上下に等間隔をおいて並べた状態で中央辺部２６０２Ａを通る連結筋２６０４により連結され一体化され、これによりＬ字形横補強筋ユニット２６が構成されている。
【００１７】
Ｌ字形横補強筋ユニット２６は柱梁接合部において、交差箇所１４０２Ａが偏位した側の矩形の角部の柱主筋１６に係止辺部２６０２Ｃを係止させ、差し込み辺部２６０２Ｂの内側に矩形の一辺に沿って配置された複数の柱主筋１６が位置するように、交差箇所１４０２Ａが偏位した側のフランジ１４０４の外側方から中央辺部２６０２Ａを柱主筋１６に当て付け、差し込み辺部２６０２Ｂを梁１８のウェブ１８０２の挿通孔１８０６に挿通させ、差し込み辺部２６０２Ｂの先部をウェブ１８０２の反対側に突出させる。このようにして２つのＬ字形横補強筋ユニット２６は、鉄骨梁１８が連結されない２つのフランジ１４０４の間の外側方に臨む矩形の角部の柱主筋１６に係止辺部２６０２Ｃを係止させると共に、鉄骨梁１８が連結されないフランジ１４０４の外側方に臨む矩形の一辺の内側に中央辺部２６０２Ａを臨ませ、かつ、前記一辺の端部である矩形の角部の柱主筋１６が内側に入るように差し込み辺部２６０２Ｂを、十字形鉄骨柱１４に連結された梁１８のウェブ１８０２の挿通孔１８０６に挿通される。そして、例えば、中央辺部２６０２Ａの両端が結束線などを用いて柱主筋１６に取着され、これによりＬ字形横補強筋ユニット２６が柱梁接合部に取り付けられる。
この場合、第１の実施の形態と同様に、柱梁接合部の耐力、耐震性能を高めるため、差し込み辺部２６０２Ｂの先端のウェブ１８０２からの突出長さは、Ｌ字形横補強筋２６０２を構成する構造用鉄筋の直径をＤとした場合、１５×Ｄ以上が好ましい。また、柱梁接合部の耐力、耐震性能を高めるため、差し込み辺部２６０２Ｂの先端は、鉄骨鉄筋コンクリート柱１２の断面中心を通る中心線で中央辺部２６０２Ａと平行する中心線１２０２を横切ってこの中心線１２０２よりも、５×Ｄ以上突出していることが好ましい。
【００１８】
Ｕ字形横補強筋ユニット２４は柱梁接合部において、Ｌ字形横補強筋ユニット２６が掛からなかった鉄骨鉄筋コンクリート柱１２の角部から（言い換えると、フェブ１４０２の交差箇所１４０２Ａから離れた矩形の角部から）その中心に向かうように水平に差し込まれ、これにより鉄骨鉄筋コンクリート柱１２の角部に位置する柱主筋１６が２つの差し込み辺部２４０２Ｂの間に挿入され連結辺部２４０２Ａに当接される。そして、例えば、連結辺部２４０２Ａが結束線などを用いて柱主筋１６に取着され、これによりＵ字形横補強筋ユニット２４が柱梁接合部に取り付けられる。
この場合、柱梁接合部の耐力、耐震性能を高めるため、連結辺部２４０２Ａが柱主筋１６に当接するまでＵ字形横補強筋ユニット２４が差し込まれた状態で、２つの差し込み辺部２４０２Ｂの先端は、鉄骨鉄筋コンクリート柱１２の中心寄り箇所に位置するように構成されている。
このような第１の参考例によっても、第１の実施の形態と同様に、柱梁接合部の耐力、耐震性能を確保しつつ、また、柱主筋の座屈防止を図りつつ、現場での作業の簡易化、省力化を図ることが可能となる。
【００１９】
次に、図４を参照して本発明の第２の参考例について説明する。
図４は柱と梁の接合部の断面平面図を示す。
第２の参考例では、平面視矩形の鉄骨鉄筋コンクリート柱１２を構成する鉄骨柱１４がＩ（またはＨ）形鋼であり、矩形の互いに対向する２辺にウェブ１４０２が平行するように鉄骨柱１４が配設され、ウェブ１４０２は矩形の中心を通っており、ウェブ１４０２の両端のフランジ１４０４に、Ｉ（またはＨ）形鋼からなる鉄骨梁１８がそれぞれ連結されている。
そして、第２の参考例では、鉄骨鉄筋コンクリート柱１２の柱梁接合部に、４つのＵ字形横補強筋ユニット２４Ａが用いられている。
前記Ｕ字形横補強筋ユニット２４Ａは図２に示す第２の実施の形態と同様で、Ｕ字形横補強筋ユニット２４Ａは、複数のＵ字形横補強筋２４０６とこれら複数のＵ字形横補強筋２４０６を連結する２つの連結筋２４０４（図１（Ｃ）参照）で構成され、Ｕ字形横補強筋２４０６は、直線状に延在する連結辺部２４０６Ａと、この連結辺部２４０６Ａにそれぞれ連結され互いに間隔をおいて平行して直線状に延在する２つの差し込み辺部２４０６Ｂから構成されいる。
複数のＵ字形横補強筋２４０６は、互いに平行させつつ上下に等間隔をおいて並べた状態で各差し込み辺部２４０６Ｂの先端を通る連結筋２４０４により連結され一体化され、これによりＵ字型補差し筋ユニット２４Ａが構成されている。
【００２０】
Ｕ字形横補強筋ユニット２４Ａは柱梁接合部において、矩形の４つの角部に１つずつ配設される。すなわち、Ｕ字形横補強筋ユニット２４Ａは矩形の角部から矩形の中心に向かうように差し込まれ、これにより鉄骨鉄筋コンクリート柱１２の角部に位置する柱主筋１６とこの柱主筋１６に間隔をおいて矩形の一辺に沿って配筋された２つの柱主筋１６が２つの差し込み辺部２４０６Ｂの間に挿入され連結辺部２４０６Ａに当接される。そして、例えば、連結辺部２４０６Ａが結束線などを用いて柱主筋１６に取着され、これによりＵ字型補強筋ユニット２４Ａが柱梁接合部に取り付けられる。
この場合、柱梁接合部の耐力、耐震性能を高めるため、連結辺部２４０６Ａが柱主筋１６に当接するまでＵ字形横補強筋ユニット２４Ａが差し込まれた状態で、２つの差し込み辺部２４０６Ｂの先端は、鉄骨鉄筋コンクリート柱１２の中心寄り箇所に位置するように構成されている。詳細には、２つの差し込み辺部２４０６Ｂのうちの角部から離れた方の差し込み辺部２４０６Ｂの先端は、矩形の中心を越え、２つの差し込み辺部２４０６Ｂのうちの角部に近い方の差し込み辺部２４０６Ｂの先端は、矩形の中心の手前に位置し、共に、鉄骨柱１４のウェブ１４０２に近接するように配設されている。そして、ウェブ１４０２で仕切られた鉄骨鉄筋コンクリート柱１２の各半部において、２つのＵ字形横補強筋ユニット２４Ａの互いに近接した差し込み辺部２４０６Ｂの先部は交差するように配設されている。
このような第２の参考例によっても、第１の実施の形態と同様に、柱梁接合部の耐力、耐震性能を確保しつつ、また、柱主筋の座屈防止を図りつつ、現場での作業の簡易化、省力化を図ることが可能となる。
【００２１】
次に、図５を参照して本発明の第３の参考例について説明する。
図５は柱と梁の接合部の断面平面図を示す。
第３の参考例は、前記第２の参考例の変形例であり、鉄骨鉄筋コンクリート柱１２を構成する鉄骨柱１４のウェブ１４０２が、互いに対向する矩形の２辺に平行し、かつ、矩形の中心から前記２辺のうちの１辺寄りに偏位した箇所を通るように配置されている。
そして、柱梁接合部において、ウェブ１４０２が偏位した側の矩形の２つの角部に、第２の参考例と同様なＵ字形横補強筋ユニット２４Ａが配設され、ウェブ１４０２が偏位した側とは反対側の矩形の２つの角部に、図１に示す第１の実施の形態と同様なＵ字形横補強筋ユニット２４が配設されている。
【００２２】
Ｕ字形横補強筋ユニット２４は矩形の角部から矩形の中心に向かうように差し込まれ、これにより鉄骨鉄筋コンクリート柱１２の角部に位置する３つの柱主筋１６が２つの差し込み辺部２４０２Ｂの間に挿入され連結辺部２４０２Ａに当接される。そして、例えば、連結辺部２４０２Ａが結束線などを用いて柱主筋１６に取着され、これによりＵ字型補強筋ユニット２４が柱梁接合部に取り付けられる。
この場合、柱梁接合部の耐力、耐震性能を高めるため、Ｕ字形横補強筋ユニット２４と同様に、連結辺部２４０２Ａが柱主筋１６に当接するまでＵ字形横補強筋ユニット２４が差し込まれた状態で、２つの差し込み辺部２４０２Ｂの先端は、鉄骨鉄筋コンクリート柱１２の中心寄り箇所に位置するように構成されている。詳細には、２つの差し込み辺部２４０２Ｂのうちのフランジ１４０４から離れた方の差し込み辺部２４０２Ｂの先端は、矩形の中心を越え、２つの差し込み辺部２４０２Ｂのうちのフランジ１４０４に近い方の差し込み辺部２４０２Ｂの先端は、矩形の中心の手前に位置し、共に、鉄骨柱１４のウェブ１４０２に近接するように配設されている。そして、２つのＵ字形横補強筋ユニット２４の各差し込み辺部２４０２Ｂの先部は交差するように配設されている。
このような第３の参考例によっても、第１の実施の形態と同様に、柱梁接合部の耐力、耐震性能を確保しつつ、また、柱主筋の座屈防止を図りつつ、現場での作業の簡易化、省力化を図ることが可能となる。
【００２３】
次に、図６を参照して本発明の第３の実施の形態（特許請求の範囲の第２項記載の発明に相当）について説明する。
図６は柱と梁の接合部の断面平面図を示す。
第３の実施の形態では、平面視矩形の鉄骨鉄筋コンクリート柱１２を構成する鉄骨柱１４がＩ（またはＨ）形鋼であり、矩形の互いに対向する２辺にウェブ１４０２が平行するように鉄骨柱１４が配設され、ウェブ１４０２は矩形の中心から偏位した箇所を通っており、ウェブ１４０２の両端のフランジ１４０４に、Ｉ（またはＨ）形鋼からなる鉄骨梁１８がそれぞれ連結されている点で図５に示す第３の参考例と同様であるが、ウェブ０１４０２が偏位した側の鉄骨鉄筋コンクリート柱１２の柱梁接合部の半部に、２つのＵ字形横補強筋ユニット２４Ａの代わりに図１（Ｂ）に示す１つのコ字形横補強筋ユニット２２を用い、ウェブ０１４０２が偏位した側とは反対側の鉄骨鉄筋コンクリート柱１２の柱梁接合部の半部に、２つのＵ字形横補強筋ユニット２４の代わりに２つのＵ字形横補強筋ユニット２４Ａを用いた点が第３の参考例と異なっている。
【００２４】
コ字形横補強筋ユニット２２は柱梁接合部において、両側の差し込み辺部２２０２Ｂの内側に６つの柱主筋１６が位置するように、中央辺部２２０２Ａを柱主筋１６に当て付け、両側の差し込み辺部２２０２Ｂを梁１８のウェブ１８０２の挿通孔１８０６に挿通させ、差し込み辺部２２０２Ｂの先部をウェブ１８０２の反対側に突出させる。そして、例えば、中央辺部２２０２Ａの両端が結束線などを用いて柱主筋１６に取着され、これによりコ字形横補強筋ユニット２２が柱梁接合部に取り付けられる。
この場合、柱梁接合部の耐力、耐震性能を高めるため、差し込み辺部２２０２Ｂの先端のウェブ１８０２からの突出長さは、第１の実施の形態と同様に、コ字形横補強筋２２０２を構成する構造用鉄筋の直径をＤとした場合、１５×Ｄ以上が好ましい。また、柱梁接合部の耐力、耐震性能を高めるため、差し込み辺部２２０２Ｂの先端は、鉄骨鉄筋コンクリート柱１２の断面中心を通る中心線で中央辺部２２０２Ａと平行する中心線１２０２を横切ってこの中心線１２０２よりも、５×Ｄ以上突出していることが好ましい。
このような１つのコ字形横補強筋ユニット２２と２つのＵ字形横補強筋ユニット２４Ａを用いた第３の実施の形態によっても、第１の実施の形態と同様に、柱梁接合部の耐力、耐震性能を確保しつつ、また、柱主筋の座屈防止を図りつつ、現場での作業の簡易化、省力化を図ることが可能となる。
【００２５】
次に、図７を参照して本発明の第４の実施の形態（特許請求の範囲の第２項記載の発明に相当）について説明する。
図７は柱と梁の接合部の断面平面図を示す。
第４の実施の形態では、鉄骨鉄筋コンクリート柱１２の柱梁接合部において、２つのＵ字形横補強筋ユニット２４Ａの代わりに２つのＵ字形横補強筋ユニット２４を用いた点が第３の実施の形態と異なっている。
Ｕ字形横補強筋ユニット２４は矩形の角部から矩形の中心に向かうように差し込まれ、これにより鉄骨鉄筋コンクリート柱１２の角部に位置する３つの柱主筋１６が２つの差し込み辺部２４０２Ｂの間に挿入され連結辺部２４０２Ａに当接される。そして、例えば、連結辺部２４０２Ａが結束線などを用いて柱主筋１６に取着され、これによりＵ字型補強筋ユニット２４が柱梁接合部に取り付けられる。
【００２６】
この場合、柱梁接合部の耐力、耐震性能を高めるため、連結辺部２４０２Ａが柱主筋１６に当接するまでＵ字形横補強筋ユニット２４が差し込まれた状態で、２つの差し込み辺部２４０２Ｂの先端は、鉄骨鉄筋コンクリート柱１２の中心寄り箇所を通るように構成されている。詳細には、フランジ１４０４から離れた一方の差し込み辺部２４０２Ｂの先端は、矩形の中心を越えてフランジ１４０４およびウェブ１４０２の近傍箇所に位置し、他方の差し込み辺部２４０２Ｂの先端は、矩形の中心を越えてウェブ１４０２の長手方向の中央寄り箇所に位置するように配設され、２つのＵ字形横補強筋ユニット２４の各差し込み辺部２４０２Ｂの先部は交差するように配設されている。
このような第４の実施の形態によっても、第１の実施の形態と同様に、柱梁接合部の耐力、耐震性能を確保しつつ、また、柱主筋の座屈防止を図りつつ、現場での作業の簡易化、省力化を図ることが可能となる。
【００２７】
次に、図８を参照して本発明の第４の参考例について説明する。
図８は柱と梁の接合部の断面平面図で、図中Ｔは耐力壁を示している。
第４の参考例では、平面視矩形の鉄骨鉄筋コンクリート柱１２を構成する鉄骨柱１４がＩ（またはＨ）形鋼であり、矩形の互いに対向する２辺にウェブ１４０２が平行するように鉄骨柱１４が配設され、ウェブ１４０２は矩形の中心から偏位した箇所を通っている点で図６に示す第３の実施の形態と同様であるが、ウェブ１４０２の一方のフランジ１４０４のみにＩ（またはＨ）形鋼からなる鉄骨梁１８が連結され、また、柱梁接合部においてコ字形横補強筋ユニット２２の代わりに２つのＬ字形横補強筋ユニット２６を用いた点が第３の実施の形態と異なっている。
【００２８】
前記Ｌ字形横補強筋ユニット２６の構成は第１の参考例と同様であり、図３（Ｂ）に示すように、複数のＬ字形横補強筋２６０２とこれら複数のＬ字形横補強筋２６０２を連結する１つの連結筋２６０４で構成されている。
２つのＬ字形横補強筋ユニット２６のうちの１つは、柱梁接合部において、梁１８が連結されないフランジ１４０４が偏位した側の矩形の角部の柱主筋１６に係止辺部２６０２Ｃを係止させ、差し込み辺部２６０２Ｂの内側に、梁１８が連結されたフランジ１４０４が偏位した側の矩形の角部の柱主筋１６が位置するように、ウェブ１４０２の外側方から中央辺部２６０２Ａを柱主筋１６に当て付け、差し込み辺部２６０２Ｂを梁１８のウェブ１８０２の挿通孔１８０６に挿通させ、差し込み辺部２６０２Ｂの先部をウェブ１８０２の反対側に突出させる。
また、２つのＬ字形横補強筋ユニット２６の残りの１つは、柱梁接合部において、梁１８が連結されないフランジ１４０４が偏位した側の矩形の角部の柱主筋１６に係止辺部２６０２Ｃを係止させ、差し込み辺部２６０２Ｂの内側に、梁１８が連結されないフランジ１４０４が偏位した側とは反対側の矩形の角部の柱主筋１６が位置するように、フランジ１４０４の外側方から中央辺部２６０２Ａを柱主筋１６に当て付けて配設する。
【００２９】
この場合、第１の実施の形態と同様に、柱梁接合部の耐力、耐震性能を高めるため、差し込み辺部２６０２Ｂの先端のウェブ１８０２からの突出長さは、Ｌ字形横補強筋２６０２を構成する構造用鉄筋の直径をＤとした場合、１５×Ｄ以上が好ましい。また、柱梁接合部の耐力、耐震性能を高めるため、差し込み辺部２６０２Ｂの先端は、鉄骨鉄筋コンクリート柱１２の断面中心を通る中心線で中央辺部２６０２Ａと平行する中心線１２０２を横切ってこの中心線１２０２よりも、５×Ｄ以上突出していることが好ましい。
【００３０】
前記Ｕ字形横補強筋ユニット２４Ａは図４に示す第２の参考例と同様で、Ｕ字形横補強筋ユニット２４Ａは、複数のＵ字形横補強筋２４０６とこれら複数のＵ字形横補強筋２４０６を連結する２つの連結筋２４０４（図１（Ｃ）参照）で構成され、Ｕ字形横補強筋２４０６は、直線状に延在する連結辺部２４０６Ａと、この連結辺部２４０６Ａにそれぞれ連結され互いに間隔をおいて平行して直線状に延在する２つの差し込み辺部２４０６Ｂから構成されいる。
Ｕ字形横補強筋ユニット２４Ａは柱梁接合部において、ウェブ１４０２が偏位した側とは反対側の矩形の半部の各角部に１つずつ配設される。すなわち、Ｕ字形横補強筋ユニット２４Ａは矩形の角部から矩形の中心に向かうように差し込まれ、これにより鉄骨鉄筋コンクリート柱１２の角部に位置する柱主筋１６とこの柱主筋１６に間隔をおいて矩形の一辺に沿って配筋された２つの柱主筋１６が２つの差し込み辺部２４０６Ｂの間に挿入され連結辺部２４０６Ａに当接される。そして、例えば、連結辺部２４０６Ａが結束線などを用いて柱主筋１６に取着され、これによりＵ字型補強筋ユニット２４が柱梁接合部に取り付けられる。
【００３１】
この場合、柱梁接合部の耐力、耐震性能を高めるため、連結辺部２４０６Ａが柱主筋１６に当接するまでＵ字形横補強筋ユニット２４Ａが差し込まれた状態で、２つの差し込み辺部２４０６Ｂの先端は、鉄骨鉄筋コンクリート柱１２の中心寄り箇所に位置するように構成されている。詳細には、２つの差し込み辺部２４０６Ｂのうちの角部から離れた方の差し込み辺部２４０６Ｂの先端は、矩形の中心を越え、２つの差し込み辺部２４０６Ｂのうちの角部に近い方の差し込み辺部２４０６Ｂの先端は、矩形の中心の手前に位置し、共に、鉄骨柱１４のウェブ１４０２に近接するように配設されている。そして、ウェブ１４０２で仕切られた鉄骨鉄筋コンクリート柱１２の半部において、２つのＵ字形横補強筋ユニット２４Ａの差し込み辺部２４０６Ｂの先部は交差するように配設されている。
このような第４の参考例によっても、第１の実施の形態と同様に、柱梁接合部の耐力、耐震性能を確保しつつ、また、柱主筋の座屈防止を図りつつ、現場での作業の簡易化、省力化を図ることが可能となる。
【００３２】
次に、図９を参照して本発明の第５の参考例について説明する。
図９は柱と梁の接合部の断面平面図で、図中Ｔは耐力壁を示している。
第５の参考例では、鉄骨鉄筋コンクリート柱１２の柱梁接合部において、２つのＵ字形横補強筋ユニット２４Ａの代わりに２つのＵ字形横補強筋ユニット２４を用いた点が第４の参考例と異なっている。
すなわち、Ｕ字形横補強筋ユニット２４はウェブ１４０２が偏位した側とは反対側の矩形の半部の各角部から矩形の中心に向かうように差し込まれ、角部に位置する３つの柱主筋１６が２つの差し込み辺部２４０２Ｂの間に挿入され連結辺部２４０２Ａに当接される。そして、例えば、連結辺部２４０２Ａが結束線などを用いて柱主筋１６に取着され、これによりＵ字型補強筋ユニット２４が柱梁接合部に取り付けられる。
【００３３】
この場合、柱梁接合部の耐力、耐震性能を高めるため、連結辺部２４０２Ａが柱主筋１６に当接するまでＵ字形横補強筋ユニット２４が差し込まれた状態で、２つの差し込み辺部２４０２Ｂの先端は、鉄骨鉄筋コンクリート柱１２の中心寄り箇所を通るように構成されている。詳細には、フランジ１４０４から離れた一方の差し込み辺部２４０２Ｂの先端は、矩形の中心を越えてフランジ１４０４およびウェブ１４０２の近傍箇所に位置し、他方の差し込み辺部２４０２Ｂの先端は、矩形の中心を越えてウェブ１４０２の長手方向の中央寄り箇所に位置するように配設され、２つのＵ字形横補強筋ユニット２４の各差し込み辺部２４０２Ｂの先部は交差するように配設されている。
このような第５の参考例によっても、第１の実施の形態と同様に、柱梁接合部の耐力、耐震性能を確保しつつ、また、柱主筋の座屈防止を図りつつ、現場での作業の簡易化、省力化を図ることが可能となる。
【００３４】
次に、図１０を参照して本発明の第６の参考例について説明する。
図１０は柱と梁の接合部の断面平面図を示す。
第６の参考例では、平面視矩形の鉄骨鉄筋コンクリート柱１２を構成する鉄骨柱１４が、Ｉ形の鋼材のウェブ１４０２の長手方向の中心に、Ｔ形の鋼材のウェブ１４０２の先端を連結したＴ字形鉄骨であり、Ｉ形の鋼材の２つのフランジ１４０４とＴ形の鋼材のフランジは、前記矩形を構成する辺に平行するように鉄骨柱１４が配設されている。Ｉ形の鋼材のウェブ１４０２は矩形の中心から偏位した箇所を通っており、Ｉ形の鋼材の２つのフランジ１４０４とＴ形の鋼材のフランジに、Ｉ（またはＨ）形鋼からなる鉄骨梁１８がそれぞれ連結されている。
そして、第６の参考例では、鉄骨鉄筋コンクリート柱１２の柱梁接合部に、４つのＵ字形横補強筋ユニット２４、２４、２４Ａ、２４Ａが用いられている。
【００３５】
２つのＵ字形横補強筋ユニット２４は図１に示す第１の実施の形態と同様な構成で、Ｉ形の鋼材のウェブ１４０２が偏位した側とは反対側の矩形の半部の各角部から矩形の中心に向かうように差し込まれ、これにより２つの角部に位置する３つの柱主筋１６が２つの差し込み辺部２４０２Ｂの間に挿入され連結辺部２４０２Ａに当接される。そして、例えば、連結辺部２４０２Ａが結束線などを用いて柱主筋１６に取着され、これによりＵ字型補強筋ユニット２４が柱梁接合部に取り付けられる。
この場合、柱梁接合部の耐力、耐震性能を高めるため、連結辺部２４０２Ａが柱主筋１６に当接するまでＵ字形横補強筋ユニット２４が差し込まれた状態で、２つの差し込み辺部２４０２Ｂの先端は、鉄骨鉄筋コンクリート柱１２の中心寄り箇所に位置するように構成されている。
２つのＵ字形横補強筋ユニット２４Ａは図２に示す第２の実施の形態と同様な構成で、Ｉ形の鋼材のウェブ１４０２が偏位した側の矩形の半部の各角部から矩形の中心に向かうように差し込まれ、これにより２つの角部に位置する３つの柱主筋１６が２つの差し込み辺部２４０６Ｂの間に挿入され連結辺部２４０６Ａに当接される。そして、例えば、連結辺部２４０６Ａが結束線などを用いて柱主筋１６に取着され、これによりＵ字型補強筋ユニット２４Ａが柱梁接合部に取り付けられる。
【００３６】
この場合、柱梁接合部の耐力、耐震性能を高めるため、連結辺部２４０６Ａが柱主筋１６に当接するまでＵ字形横補強筋ユニット２４Ａが差し込まれた状態で、２つの差し込み辺部２４０６Ｂの先端は、鉄骨鉄筋コンクリート柱１２の中心寄り箇所に位置するように構成されている。詳細には、２つの差し込み辺部２４０６Ｂのうちの角部から離れた方の差し込み辺部２４０６Ｂの先端は、矩形の中心を越え、２つの差し込み辺部２４０６Ｂのうちの角部に近い方の差し込み辺部２４０６Ｂの先端は、矩形の中心の手前に位置し、共に、鉄骨柱１４のウェブ１４０２に近接するように配設されている。そして、２つのＵ字形横補強筋ユニット２４Ａの互いに近接した差し込み辺部２４０６Ｂの先部は交差するように配設されている。
このような第６の参考例によっても、第１の実施の形態と同様に、柱梁接合部の耐力、耐震性能を確保しつつ、また、柱主筋の座屈防止を図りつつ、現場での作業の簡易化、省力化を図ることが可能となる。
【００３７】
次に、図１１を参照して本発明の第７の参考例について説明する。
図１１は柱と梁の接合部の断面平面図を示す。
第７の参考例では、平面視矩形の鉄骨鉄筋コンクリート柱１２を構成するＴ字形鉄骨柱１４が、Ｉ形の鋼材のウェブ１４０２の長手方向の中心から偏位した箇所に、Ｔ形の鋼材のウェブ１４０２の先端が連結されている点と、鉄骨鉄筋コンクリート柱１２の柱梁接合部に、１つのＵ字形横補強筋ユニット２４と３つのＵ字形横補強筋ユニット２４Ａが用いられている点が前記第６の参考例と異なっている。
３つのＵ字形横補強筋ユニット２４Ａは図２に示す第２の実施の形態と同様な構成で、Ｉ形の鋼材のウェブ１４０２とＴ形の鋼材のウェブ１４０２が偏位した側の矩形の３の角部から矩形の中心に向かうように差し込まれ、これにより３つの角部に位置する３つの柱主筋１６が２つの差し込み辺部２４０６Ｂの間に挿入され連結辺部２４０６Ａに当接される。そして、例えば、連結辺部２４０２Ａが結束線などを用いて柱主筋１６に取着され、これによりＵ字型補強筋ユニット２４が柱梁接合部に取り付けられる。
【００３８】
この場合、Ｔ形の鋼材のウェブ１４０２が偏位した側の矩形の角部から矩形の中心に差し込まれたＵ字型補強筋ユニット２４は、柱梁接合部の耐力、耐震性能を高めるため、連結辺部２４０６Ａが柱主筋１６に当接するまでＵ字形横補強筋ユニット２４Ａが差し込まれた状態で、鉄骨鉄筋コンクリート柱１２の中心寄り箇所に位置し、かつ、Ｔ形の鋼材のウェブ１４０２の近接箇所に位置するように構成される。なお、残りの２つのＵ字型補強筋ユニット２４Ａの配設構造および１つのＵ字形横補強筋ユニット２４の配設構造は前記第６の参考例と同様である。
このような第７の参考例によっても、第１の実施の形態と同様に、柱梁接合部の耐力、耐震性能を確保しつつ、また、柱主筋の座屈防止を図りつつ、現場での作業の簡易化、省力化を図ることが可能となる。
【００３９】
次に、図１２を参照して本発明の第５の実施の形態（特許請求の範囲の第３項記載の発明に相当）について説明する。
図１２は柱と梁の接合部の断面平面図を示す。
第５の実施の形態は、図１０に示す第６の参考例の変形例で、Ｉ形の鋼材のウェブ１４０２が変位した側の鉄骨鉄筋コンクリート柱１２の柱梁接合部の半部に、２つのＵ字形横補強筋ユニット２４Ａの代わりに図１（Ｂ）に示す１つのコ字形横補強筋ユニット２２を用いた点が第６の参考例と異なっている。
すなわち、第５の実施の形態では、３つの梁１８が連結されたＴ字形鉄骨柱１４を有する柱梁接合部に、１つのコ字形横補強筋ユニット２２と２つのＵ字形横補強筋ユニット２４が用いられており、２つのＵ字形横補強筋ユニット２４の配設構造は第６の参考例と同様である。
【００４０】
コ字形横補強筋ユニット２２は柱梁接合部において、両側の差し込み辺部２２０２Ｂの内側に６つの柱主筋１６が位置するように、中央辺部２２０２ＡをＩ形の鋼材のウェブ１４０２に平行させつつ柱主筋１６に当て付け、両側の差し込み辺部２２０２Ｂを、Ｉ形の鋼材のフランジ１４０４に連結された梁１８のウェブ１８０２の挿通孔１８０６に挿通させ、差し込み辺部２２０２Ｂの先部をウェブ１８０２の反対側に突出させる。そして、例えば、中央辺部２２０２Ａの両端が結束線などを用いて柱主筋１６に取着され、これによりコ字形横補強筋ユニット２２が柱梁接合部に取り付けられる。
この場合、柱梁接合部の耐力、耐震性能を高めるため、差し込み辺部２２０２Ｂの先端のウェブ１８０２からの突出長さは、第１の実施の形態と同様に、コ字形横補強筋２２０２を構成する構造用鉄筋の直径をＤとした場合、１５×Ｄ以上が好ましい。また、柱梁接合部の耐力、耐震性能を高めるため、差し込み辺部２２０２Ｂの先端は、鉄骨鉄筋コンクリート柱１２の断面中心を通る中心線で中央辺部２２０２Ａと平行する中心線１２０２を横切ってこの中心線１２０２よりも、５×Ｄ以上突出していることが好ましい。
このような１つのコ字形横補強筋ユニット２２と２つのＵ字形横補強筋ユニット２４を用いた第５の実施の形態によっても、第１の実施の形態と同様に、柱梁接合部の耐力、耐震性能を確保しつつ、また、柱主筋の座屈防止を図りつつ、現場での作業の簡易化、省力化を図ることが可能となる。
【００４１】
次に、図１３を参照して本発明の第６の実施の形態（特許請求の範囲の第３項記載の発明に相当）について説明する。
図１３は柱と梁の接合部の断面平面図を示す。
第６の実施の形態は、図１１に示す第７の参考例の変形例で、Ｉ形の鋼材のウェブ１４０２が変位した側の鉄骨鉄筋コンクリート柱１２の柱梁接合部の半部に、Ｕ字形横補強筋ユニット２４Ａの代わりに図１（Ｂ）に示すコ字形横補強筋ユニット２２を用いた点が第７の参考例と異なっている。
すなわち、第６の実施の形態では、３つの梁１８が連結されたＴ字形鉄骨柱１４を有する柱梁接合部に、１つのコ字形横補強筋ユニット２２と２つのＵ字形横補強筋ユニット２４、２４Ａが用いられており、コ字形横補強筋ユニット２２の配設構造については図１２に示す第５の実施の形態と同様であり、２つのＵ字形横補強筋ユニット２４、２４Ａの配設構造については第７の参考例と同様である。
このような１つのコ字形横補強筋ユニット２２と２つのＵ字形横補強筋ユニット２４、２４Ａを用いた第６の実施の形態によっても、第１の実施の形態と同様に、柱梁接合部の耐力、耐震性能を確保しつつ、また、柱主筋の座屈防止を図りつつ、現場での作業の簡易化、省力化を図ることが可能となる。
【００４２】
次に、図１４を参照して本発明の第８の参考例について説明する。
図１４は柱と梁の接合部の断面平面図を示す。
第８の参考例は、図１１に示す第７の参考例の変形例で、Ｔ字形鉄骨柱１４を有する柱梁接合部に２つの梁１８が連結され、また、柱梁接合部に２つのＬ字形横補強筋ユニット２６と１つのＵ字形横補強筋ユニット２４が用いられている。
すなわち、鉄骨鉄筋コンクリート柱１２を構成するＴ字形鉄骨柱１４は、Ｉ形の鋼材のウェブ１４０２の長手方向の中心から偏位した箇所に、Ｔ形の鋼材のウェブ１４０２の先端が連結されて構成されている。また、Ｔ形の鋼材のウェブ１４０２が偏位した側とは反対側のＩ形の鋼材のフランジ１４０４と、Ｔ形の鋼材のフランジ１４０４に梁１８がそれぞれ連結されている。
【００４３】
前記Ｌ字形横補強筋ユニット２６の構成は第１の参考例と同様であり、図３（Ｂ）に示すように、複数のＬ字形横補強筋２６０２とこれら複数のＬ字形横補強筋２６０２を連結する１つの連結筋２６０４で構成されている。
２つのＬ字形横補強筋ユニット２６のうちの１つは、柱梁接合部において、梁１８が連結されないフランジ１４０４が臨む矩形の角部の柱主筋１６に係止辺部２６０２Ｃを係止させ、差し込み辺部２６０２Ｂの内側に、梁１８が連結されたＩ形の鋼材のフランジ１４０４が臨む矩形の角部の柱主筋１６が位置するように、Ｉ形の鋼材のウェブ１４０２の外側方から中央辺部２６０２Ａを柱主筋１６に当て付け、差し込み辺部２６０２Ｂを、Ｉ形の鋼材に連結された梁１８のウェブ１８０２の挿通孔１８０６に挿通させ、差し込み辺部２６０２Ｂの先部をウェブ１８０２の反対側に突出させる。
また、２つのＬ字形横補強筋ユニット２６の残りの１つは、柱梁接合部において、梁１８が連結されないフランジ１４０４が偏位した側の矩形の角部の柱主筋１６に係止辺部２６０２Ｃを係止させ、差し込み辺部２６０２Ｂの内側に、梁１８が連結されたＴ形の鋼材のフランジ１４０４が臨む矩形の角部の柱主筋１６が位置するように、Ｉ形の鋼材のフランジ１４０４の外側方からＴ形の鋼材のウェブ１４０２に平行させつつフランジ中央辺部２６０２Ａを柱主筋１６に当て付け、差し込み辺部２６０２Ｂを、Ｔ形の鋼材に連結された梁１８のウェブ１８０２の挿通孔１８０６に挿通させ、差し込み辺部２６０２Ｂの先部をウェブ１８０２の反対側に突出させる。
【００４４】
この場合、第１の実施の形態と同様に、柱梁接合部の耐力、耐震性能を高めるため、差し込み辺部２６０２Ｂの先端のウェブ１８０２からの突出長さは、Ｌ字形横補強筋２６０２を構成する構造用鉄筋の直径をＤとした場合、１５×Ｄ以上が好ましい。また、柱梁接合部の耐力、耐震性能を高めるため、差し込み辺部２６０２Ｂの先端は、鉄骨鉄筋コンクリート柱１２の断面中心を通る中心線で中央辺部２６０２Ａと平行する中心線１２０２を横切ってこの中心線１２０２よりも、５×Ｄ以上突出していることが好ましい。
なお、Ｕ字形横補強筋ユニット２４の配設構造は図１１に示す第７の参考例と同様で、梁１８が連結されたＩ形の鋼材のフランジ１４０４とＴ形の鋼材のフランジ１４０４との間に位置する矩形の角部を通る柱主筋１６が一対の差し込み辺部２４０２Ｂの間に位置し、一対の差し込み辺部２４０２Ｂの先部が鉄骨鉄筋コンクリート柱１２の中心寄りを通るように連結辺部２４０２Ａが柱主筋１６に当て付けられて配設される。
このような第８の参考例によっても、第１の実施の形態と同様に、柱梁接合部の耐力、耐震性能を確保しつつ、また、柱主筋の座屈防止を図りつつ、現場での作業の簡易化、省力化を図ることが可能となる。
なお、以上の実施の形態では、コ字形横補強筋やＵ字形横補強筋、Ｌ字形横補強筋がユニット化されたものを用いた場合について説明したが、これらコ字形横補強筋やＵ字形横補強筋、Ｌ字形横補強筋はユニット化されたものを用いず、現場でそれぞれ配筋するようにしてもよい。
【００４５】
【発明の効果】
以上の説明で明らかなように本発明において対象となる柱は、Ｉ形の鋼材が十字状に連結された十字形鉄骨柱、Ｉ形の鋼材からなるＩ字形鉄骨柱、Ｉ形の鋼材とＴ形の鋼材がＴ字状に連結されたＴ字形鉄骨柱であり、これらの鉄骨柱の梁結合部において、１つ、または２つ、または３つの梁が連結され、鉄骨柱の形状や、連結される梁の数に応じて、コ字形横補強筋やそのユニット、Ｕ字形横補強筋やそのユニットが用いられる。
そして、コ字形横補強筋は、中央辺部と中央辺部の両端の差し込み辺部からコ字形に形成されている。
【００４６】
また、Ｕ字形横補強筋は、互いに対向する一対の差し込み辺部とこれら差し込み辺部を連結する連結辺部からＵ字形に形成されている。
これらのコ字形横補強筋やそのユニット、Ｕ字形横補強筋やそのユニットは、溶接などの作業を要せずに、柱主筋がその内側に入るように配筋され、鉄骨柱、柱主筋と共にコンクリート中に埋設される。
そのため本発明では、柱梁接合部の耐力、耐震性能を確保しつつ、また、柱主筋の座屈防止を図りつつ、現場での作業の簡易化、省力化が図られる。
【図面の簡単な説明】
【図１】  （Ａ）は第１の実施の形態に係る柱と梁の接合部の断面平面図、（Ｂ）はコ字形横補強筋ユニットの斜視図、（Ｃ）はＵ字形横補強筋ユニットの斜視図である。
【図２】  第２の実施の形態に係る柱と梁の接合部の断面平面図である。
【図３】  （Ａ）は第１の参考例に係る柱と梁の接合部の断面平面図、（Ｂ）はＬ字形横補強筋ユニットの斜視図である。
【図４】  第２の参考例に係る柱と梁の接合部の断面平面図である。
【図５】  第３の参考例に係る柱と梁の接合部の断面平面図である。
【図６】  第３の実施の形態に係る柱と梁の接合部の断面平面図である。
【図７】  第４の実施の形態に係る柱と梁の接合部の断面平面図である。
【図８】  第４の参考例に係る柱と梁の接合部の断面平面図である。
【図９】  第５の参考例に係る柱と梁の接合部の断面平面図である。
【図１０】  第６の参考例に係る柱と梁の接合部の断面平面図である。
【図１１】  第７の参考例に係る柱と梁の接合部の断面平面図である。
【図１２】  第５の実施の形態に係る柱と梁の接合部の断面平面図である。
【図１３】  第６の実施の形態に係る柱と梁の接合部の断面平面図である。
【図１４】  第８の参考例に係る柱と梁の接合部の断面平面図である。
【図１５】  従来の鉄骨鉄筋コンクリート柱の柱梁接合部の分解斜視図である。
【符号の説明】
１２  鉄骨鉄筋コンクリート柱
１４  鉄骨柱
１４０２  ウェブ
１４０４  フランジ
１６  柱主筋
１８  梁
１８０２  ウェブ
１８０６  挿通孔
２２  コ字形横補強筋ユニット
２４、２４Ａ  Ｕ字形横補強筋ユニット
２６  Ｌ字形横補強筋ユニット
【図１】
0004424776.tif 000002
【図２】
0004424776.tif 000003
【図３】
0004424776.tif 000004
【図４】
0004424776.tif 000005
【図５】
0004424776.tif 000006
【図６】
0004424776.tif 000007
【図７】
0004424776.tif 000008
【図８】
0004424776.tif 000009
【図９】
0004424776.tif 000010
【図１０】
0004424776.tif 000011
【図１１】
0004424776.tif 000012
【図１２】
0004424776.tif 000013
【図１３】
0004424776.tif 000014
【図１４】
0004424776.tif 000015
【図１５】
0004424776.tif 000016